(57)【要約】【課題】地震や台風などの影響により建築物が歪んだり変形した場合であっても、その結合部分を補正し、そして補強することにより建築物全体の変形や歪みを解消することのできる建築物の補強用連結具を提供すること。【解決手段】予め建築用金物が設置されている建築物の構造体の交差部分に設置される建築物の補強用連結具であって、当該建築物において交差した構造体に相互に接する２つの面を有すると共に、少なくとも何れかの面には、予め設置されている建築用金物を受容する凹部、又は予め設置されている建築用金物を通す孔部が形成されている建築物の補強用連結具とする。【選択図】図１
2013238022.tif 000002
【特許請求の範囲】
【請求項１】
予め建築用金物が設置されている建築物の構造体の交差部分に設置される建築物の補強用連結具であって、
当該建築物において交差した構造体に相互に接する２つの面を有すると共に、
少なくとも何れかの面には、予め設置されている建築用金物を受容する凹部、又は予め設置されている建築用金物を通す孔部が形成されていることを特徴とする、建築物の補強用連結具。
【請求項２】
前記２つの面における構造体に接する面とは反対側の面には、２つの面の間に架け渡された補強部が形成されている請求項１に記載の建築物の補強用連結具。
【請求項３】
前記凹み部は何れか一方の面にのみ形成されている請求項1又は２に記載の建築物の補強用連結具。
【請求項４】
請求項１〜３の何れか一項に記載した建築物の補強用連結具を使用した建築物の補強工法であって、
前記補強用連結具における何れか一方の面を桁若しくは梁側に最初に固定し、次いで当該補強用連結具における他方の面を側桁に固定することを特徴とする建築物の補強工法。
【請求項５】
請求項１〜３の何れか一項に記載した建築物の補強用連結具を使用し、軸組み工法により組みつけられた建築物の構造体を補強する建築物の補強工法であって、
前記補強用連結具における何れか一方の面を雄木側に固定し、次いで当該補強用連結具における他方の面を雌木側に固定することを特徴とする建築物の補強工法。
【発明の詳細な説明】
【技術分野】
【０００１】
本考案は、建築物、特に木造の建築物において互いに直交する部材に取り付けられることにより建築物を補強する補強用連結具に関する。
【背景技術】
【０００２】
家の建築の際、地伏や桁材及び斜梁材と柱等とはホゾとホゾ穴加工によって接合されるのが一般的であり、更に安全のためにはカスガイ等を打ち込むことが行われる。かかるカスガイを用いて連結したものは、一応の補強効果を有するものの、特に地震に対しては充分な作用効果を発揮する事が困難である。また地震により建物の骨組部分のズレや歪みが生じた場合には、カスガイが塑性変形する事は無い為、建物に於いて致命傷となり倒壊を生ずる原因にもなる。
【０００３】
更にカスガイの代わりに使用するものであって、より木材同士の結合を高めることのできる木造建築用補強金具も提供されている。
【０００４】
例えば特許文献１（実用新案登録第３０６７４９５号号公報）では、木材と木材の接合にあっては色々の噛合せ接合や打ちつけ金具板を使用するにも、繰返しの震動によって接合部に緩みが生じて倒壊に至ることに鑑み、ステンレス製又は鉄鋼製或はアルミ製の細長い平板であって、中央で直角に折曲してＬ形金具とし、この内角部の両片に亘って補強用の支持棒を渡し、両辺の先端部にボルト装着用の孔を数個設けた木造建築用補強金具が提案されている。
【０００５】
また耐震の観点からみれば、特許文献２（実用新案登録第３０８７５６５号号公報）も提案されている。この文献では、建築物の構造体などに地震等によって大きな荷重がかかっても、充分に大きな復元力を与えることができる建築物補強金具として、建築物の互いに直交する部材相互間に沿って取り付けられ建築物を補強するＬ字形金具からなり、上記Ｌ字形金具の互いに直交する２辺には、これら２辺を取り付けるべき建築物の部材に向かって円弧状に突出した湾曲部が上記２辺の長さ方向に形成され、上記Ｌ字形金具の各端部には弾性部材が重ねられ、Ｌ字形金具の各端部および上記弾性部材とを貫通した締結部材がそれぞれ建築物の部材に締結されることにより、Ｌ字形金具の各端部と建築物の部材との間に上記弾性部材が介在した状態で建築物の互いに直交する部材に取り付けられる建築物補強金具が提案されている。
【先行技術文献】
【特許文献】
【０００６】
【特許文献１】実用新案登録第３０６７４９５号号公報
【特許文献２】実用新案登録第３０８７５６５号号公報
【発明の概要】
【発明が解決しようとする課題】
【０００７】
従来提案されている建築物の補強金具は、建築物の施工時において設置するものが殆どであり、施工後に設置するものであっても、建築物における結合部分に歪みや変形などが生じていない状態においては設置が可能であるものの、この変形や歪みを補修しながら設置できるものとはなっていなかった。即ち、従来提供されている建築物用の補強金具は、一旦、建築物における結合部分に歪みや変形などが生じてしまった場合には、これを補修することは考慮されていなかった。
そこで本発明は、地震や台風などの影響により建築物が歪んだり変形した場合であっても、その結合部分を補正し、そして補強することにより建築物全体の変形や歪みを解消することのできる建築物の補強用連結具を提供することを第一の課題とする。
【０００８】
また建築物は、特に木造建築においては年月の経過により、柱や梁などの変形が生じることもあり、一方で柱と梁の接合部分などがその変形に追従できずに、結果として建築物の耐震強度の低下に結びつくことも問題となっていた。
そこで本発明は、建築材料の経時的な変形に追従してその接合部分を最適化できるようにした建築物の補強用連結具を提供することを第二の課題とする。
【０００９】
更に、既に補強金具が設置されている場所に対して、新たに補強用連結具を設置しようとしても、古い補強金具を取り外してからでなければ設置できないことが考えられる。しかしながら、相当な年数が経過している建築金物の場合には、空気中の水分などにより、これを固定するネジやボルトが腐食している事もあり、その取り外しが不可能か困難な場合もある。
そこで本発明は、既に補強金具が設置されている場所に対して新たに設置する場合でも、古い補強金具を取り外すことなく設置することのできる、建築物の補強用連結具を提供することを第三の課題とする。
【課題を解決するための手段】
【００１０】
上記課題を解決するべく、木造軸組み工法における軸組み部分などを補強する為の補強用連結具を提供するものであり、特に羽子板金物やＬ字金物などの建築用構造金物が設置されている部分であっても使用することのできる建築物の補強用連結具を提供するものである。
【００１１】
即ち、予め建築用金物が設置されている建築物の構造体の交差部分に設置される建築物の補強用連結具であって、当該建築物において交差した構造体に相互に接する２つの面を有すると共に、少なくとも何れかの面には、予め設置されている建築用金物を受容する凹部、又は予め設置されている建築用金物を通す孔部が形成されている建築物の補強用連結具を提供する。
【００１２】
かかる補強用連結具は、側面形状が大凡「L」字状または「く」字状に曲折した形状であって、何れかの面には、予め設置されている建築用金物を受容する凹部、又は予め設置されている建築用金物を通す孔部を形成している。この予め設置されている建築用金物としては、補強対象となる建築物に設置されている建築用金物であって、例えばカスガイ、羽子板金具、筋交い金具、ホールダウン金物、アンカーボルト、ボルト、ナット、座金等の各種の建築用金具が該当する。そして本発明に係る建築物の補強用連結具では、このような従前から設置されている建築金具を受容する為の凹部又は孔部を具備する事により、当該既に設置されている建築用金物を取り外すことなく、建築物における補強を実施する事ができる。
【００１３】
よって、本発明に係る建築物の補強用連結具は、例えば平面の広さ方向にL字状に曲折させたL字金具の少なくとも何れか面に、当該曲折部に交差する向きの凹部を形成する事ができる。そして当該凹部の形成に際しては、当該凹部を形成する面を厚さ方向に屈曲して形成する事ができる。また、当該凹み部は、曲折したL字金具の外側の面が内側に向かって凹むように形成する事が望ましい。
【００１４】
また、上記本発明に係る建築物の補強用連結具は、建築物に於いて脆弱化した連結・結合部分の補強、或いは歪んだ連結・結合部分の修正を果たすものである事から、スチール等の金属の他、樹脂や木材などを用いて形成する事もできる。そして、当該補強用連結具における強度を高める為に、前記曲折部の両側に存在する２つの面において、構造体に接する面とは反対側の面（即ち曲折した状態で内側の面）には、両面間に架け渡された補強部を形成することが望ましい。かかる補強部は当該補強用連結具の側面視に於いて、前記曲折部が９０°に折れ曲がっており、２つの面が底辺と高さを構成する場合、当該補強部は斜辺を構成するように形成する事ができる。また、三角形に形成して、２つの辺を当該２つの面に接合する事により形成する事もできる。
【００１５】
かかる補強部を形成する事により、当該２つの面同士の内角、即ち曲折部の角度を一定に保つ事ができ、建築物に於いて脆弱化した連結・結合部分の補強、或いは歪んだ連結・結合部分の修正をより確実に行う事ができる。
【００１６】
また、上記凹部は、曲折部を介して隣り合う２つの面の双方に形成する他、何れか一方の面にのみ形成する事ができる。例えば羽子板金具が設置されている構造部分に設置する場合には、当該羽子板金具が設置されている面に接する側に凹部を形成し、羽子板金具の軸が射し込まれる側の面に接する部分は平坦に形成する事ができる。この場合、当該凹み部が形成されていない面に於いては、建築構造物の躯体に対して、より確実に固定する事ができる。
【００１７】
また本発明では、前記課題の少なくとも何れかを解決する為に、前記建築物の補強用連結具を使用して、建築物における躯体の連結・結合部分の補強や修正を効果的に行うことのできる建築物の補強工法を提供する。
【００１８】
かかる建築物の補強工法の１つでは、前記補強用連結具における何れか一方の面を桁若しくは梁側に最初に固定し、次いで当該補強用連結具における他方の面を側桁に固定することにより実施する事ができる。
【００１９】
また別の建築物の補強工法では、例えば軸組み工法により組みつけられた建築物の構造体を補強する建築物の補強工法とする事ができ、これは前記補強用連結具における何れか一方の面を雄木側に固定し、次いで当該補強用連結具における他方の面を雌木側に固定する建築物の補強工法とする事ができる。
【００２０】
このような工法を実施する事により、地震等による揺れや構造物の歪み等により生じた建築物における躯体の連結・結合部分の隙間などを無くすか又は狭める事ができ、可能な限り本来の連結・結合状態にすると共に、当該連結・結合部分を補強・修正することができる。
【図面の簡単な説明】
【００２１】
【図１】実施の形態に係る補強用連結具の使用状態を示す斜視略図である。
【図２】第１の実施の形態に係る補強用連結具を示す（Ａ）側面図、（Ｂ）正面図、（Ｃ）Ｘ−Ｘ断面矢視図、（Ｄ）底面図である。
【図３】第２の実施の形態に係る補強用連結具を示す（Ａ）側面図、（Ｂ）正面図、（Ｃ）Ｘ−Ｘ断面矢視図、（Ｄ）底面図である。
【図４】第３の実施の形態に係る補強用連結具を示す（Ａ）側面図、（Ｂ）正面図、（Ｃ）Ｘ−Ｘ断面矢視図、（Ｄ）底面図である。
【図５】本実施の形態に係る補強用連結具の設置工程を示す略図である。
【発明を実施するための形態】
【００２２】
以下、幾つかの実施に形態に係る補強用連結具５０を、図面を参照しながら説明する。
【００２３】
図１は、本実施の形態に係る補強用連結具５０の使用状態を示す斜視略図である。この実施の形態に係る補強用連結具５０は、羽子板金具４０で補強されている木材６０の連結部分に設置されるように形成されており、組みつけられた木材６０同士における組み付け部分の補強や、当該組み付け部分に生じた歪み等を補正するものとして使用する事ができる。
【００２４】
かかる補強用連結具５０は、図２の（Ａ）側面図、（Ｂ）正面図、（Ｃ）Ｘ−Ｘ断面矢視図、（Ｄ）底面図に示すように、羽子板金具４０におけるプレート状の部分が設置された面に接合される第一面１０と、この第一面１０の上端から外側に向かって９０°に曲折する第二面２０とを具備している。その結果、この第一面１０と第二面２０とは、当該曲折部３０に於いて突き合うように構成されている。
【００２５】
そして第一面１０には、前記木材６０の連結部分に設置されている羽子板金具４０を受容する大きさに窪んだ凹部１２が、曲折部３０に直交する向きに形成されている。この凹部１２は、前記第一面１０を曲折部３０に直交する向きに形成され、第二面２０を突き抜けるように形成される。またこの凹部１２は本実施の形態では長方形に窪んだ溝状に形成されているが、その他にも半円柱状に窪んだ溝として形成する事ができる。更に、図面には示していないが、当該木材６０同士における組み付け部分にボルトやナットなどが露出して突起している場合には、当該ボルトやナット等の突起物を貫通させる様な開口部からなる孔や、当該ボルトやナット等の突起物を受容するべく凹んだ穴を形成し、これらを凹部１２（乃至は孔部）とする事もできる。
【００２６】
またこの凹部１２は、必ずしも第一面１０の幅方向中央に存在する必要は無く、何れかの側方に偏って形成する事もできる。これは当該補強用連結具５０を設置する木材６０同士における組み付け部分に存在する既存の建築用金物の設置場所に対応させる為である。即ち、既存の建築用金物が組み付けられた木材６０の側面側に偏っている場合には、これと同じように前記凹部１２が偏っている補強用連結具５０を使用するものである。
【００２７】
また、この補強用連結具５０が鉄やステンレス等の金属を用いて形成されている場合には、前記第１面における凹部１２が形成された領域以外、および第２面には、釘やビス５２を通す為の孔部５４を形成する事が望ましい。図２に示した実施の形態では、第一面１０における凹部１２の側方に、当該凹部１２と同じ向きに３個づつ孔部５４を整列して形成し、第二面２０には、両側方寄りに３個づつ、中央に２個の孔部５４を形成している。但し、この孔部５４は、使用の状況に応じて適宜設定する事ができ、必ずしも本実施の形態に示したパターンに制限されるものではない。
【００２８】
更に本実施の形態に示した補強用連結具５０においては、第一面１０と第二面２０の長さ、即ち曲折部３０に直交する向きの長さを同じにしているが、何れか一方を長くすることもできる。特に既存の建築用金物として羽子板金具４０が使用されている部分に設置する補強用連結具５０では、当該羽子板金具４０の軸方向に存在する面、即ち第二面２０の長さを長くする事が望ましい。これは、当該羽子板金具４０により連結されている木材６０において、羽子板金具４０が設置されている木材６０を、羽子板金具４０の軸が延伸する向きに引き寄せる必要がある為であり、当該第二面２０の長さを長くすることで、当該補強用連結具５０を固定する為の釘やビス５２の設置領域を増大させる事ができる。
【００２９】
また、本実施の形態に示した補強用連結具５０においては、第一面１０と第二面２０の幅、即ち曲折部３０に沿う方向の長さを同じにしているが、何れか一方の幅を広くすることもでき、更に第一面１０又は第二面２０の何れかの面の形状も、四角形に限らず、三角形やその他の多角形、或いは任意の箇所で平面方向に凹んだり出っ張ったり、或いは平面視「Ｌ」字状等、曲折した形状にする事もできる。これら第一面１０と第二面２０の幅や形状等については、設置する部分の形状に合わせて、適宜変更する事ができる。
【００３０】
また前記補強用連結具５０は、更に第一面１０と第二面２０における曲折状態を補強する補強部３５を伴って形成する事ができる。図３の（Ａ）側面図、（Ｂ）正面図、（Ｃ）Ｘ−Ｘ断面矢視図、（Ｄ）底面図は、前記２つの面（第一面１０と第二面２０）における構造体に接する面とは反対側の面に、２つの面の間に架け渡した補強部３５を形成した実施の形態を示している。この図３に示す補強用連結具５０では、第一面１０における凹部１２によって形成された凸部の上面から、第二面２０における曲折した側の面に渡って、夫々の面に直交する向きでリブ状に形成された補強部３５が形成されている。このような補強部３５が形成される事により、第一面１０と第二面２０における曲折部３０の変形が阻止され、よって当該曲折部３０の傾きと同じように、歪んだ木材６０を引き寄せて組み付ける事ができる。
【００３１】
かかる補強部３５は、曲折部３０の角度を一定に保つ事ができるように、即ち第一面１０と第二面２０との間隔を一定に保つ事ができれば良い。そこで当該補強部３５は、この図３に示すように三角形のプレート状に形成する他、細長い板状、または棒状に形成しても良い。なお、このような補強部３５は、第一面１０における凹部１２に形成する他、当該補強用連結具５０の速報寄りに形成する事もでき、また２つ以上形成しても良い。
【００３２】
そして、図４は他の実施の形態に係る補強用連結具５０を示す（Ａ）側面図、（Ｂ）正面図、（Ｃ）Ｘ−Ｘ断面矢視図、（Ｄ）底面図であり、この図に示す実施の形態では、特に第一面１０と第二面２０の両方に凹部１２を形成している。このように形成した場合には、例えばＬ型金具４５などで木材６０同士を連結している場合でも使用する事ができる。即ち、当該凹部１２は繋ぎ合わされた木材６０同士の連結部分に出っ張って存在するＬ型金具４５を受容する事ができ、これにより当該Ｌ型金具４５が経年により変形し、木材６０同士における組み付け部分が歪んでしまっている場合でも、当該補強用連結具５０を設置する事により、もとの状態に復元する事ができる。
【００３３】
更に、この図４に示した実施の形態では、第一面１０と第二面２０に形成した凹部１２は、半円形状に窪むように形成している。凹部１２をこのような形状に形成した場合、各面における曲折した側の面には、半円形状に突起した凸部が出現する事になる。そして、前記図３に示したように、この凹部１２に補強部３５を形成した場合には、当該凸部の曲面により当該補強部３５に係る力を凸部全体に分散させる事ができ、よってより強度の高い補強用連結具５０とする事ができる。また、製造に際しても、金属を折り曲げることなく湾曲させれば良い事から、より簡易に製造する事も可能になる。
【００３４】
図５は、前記図３に示した補強用連結具５０を実際に設置するときの行程を示している。即ち建築物に於いては、長年にわたる風雨や積雪、或いは地震の揺れなどにより、図５（Ａ）に示すような歪みや隙間が生じている場合もある。そこでこの様な歪みや隙間を強制する為に、当該補強用連結具５０を使用するものである。
【００３５】
特に既存の建築用金物として羽子板金具４０が使用されている場合には、この図３（Ｂ）に示すように、補強用連結具５０において凹部１２が形成されている面（第一面１０）を、羽子板金具４０が設置されている構造部（木材６０）側にネジやビス５２等によって取り付ける。この時、当該第一面１０における凹部１２は、既存の羽子板金具４０を収容するように設置され、また第二面２０は、少なくとも当該羽子板金具４０が設置されている構造部（木材６０）よりも突出することの無いように設置される。
【００３６】
図５（Ｂ）に示すように第一面１０を羽子板金具４０が設置されている構造部（木材６０）に固定した後は、図５（Ｃ）に示すように、第二面２０を羽子板金具４０の軸部分４２が射し込まれている側の構造部（木材６０）に固定する。この固定に際しては、釘やビス５２等を使用する事ができる。そしてこの第二面２０を固定する段階で、当該羽子板金具４０が設置されている構造部（木材６０）と、羽子板金具４０の軸部分４２が射し込まれている構造部（木材６０）との歪みが矯正され、正規の状態に戻すことができる。
【００３７】
その結果、当該補強用連結具５０を設置するだけで、風雨や雪、或いは地震等により歪みが生じた建築物を元に戻すことができる。
【符号の説明】
【００３８】
１０    第一面
１２    凹部
２０    第二面
３０    曲折部
３５    補強部
４０    羽子板金具
４２    軸部分
４５    型金具
５０    補強用連結具
５２    ビス
５４    孔部
６０    木材
【図１】
2013238022.tif 000003
【図２】
2013238022.tif 000004
【図３】
2013238022.tif 000005
【図４】
2013238022.tif 000006
【図５】
2013238022.tif 000007